【事件の表示】
　特願２０１７−２２０００５「電子機器の通訳機能提供方法」拒絶査定不服審判事件〔平成３１年　１月２４日出願公開、特開２０１９−　１２５０７、請求項の数（１５）〕について、次のとおり審決する。
【結　論】
　原査定を取り消す。
　本願の発明は、特許すべきものとする。
【理　由】
第１　手続の経緯
　本願は、２０１７年（平成２９年）１１月１５日（パリ条約に基づく優先権主張：２０１７年６月２９日、大韓民国）の出願であって、その手続の経緯は以下のとおりである。
　　平成３１年　１月２８日付け：拒絶理由通知書
　　令和　元年　５月　７日　　：意見書、手続補正書の提出
　　令和　元年１０月　７日付け：拒絶査定
　　令和　２年　２月１２日　　：審判請求書、手続補正書の提出
　　令和　３年　４月２２日付け：拒絶理由通知書
　　令和　３年　７月２６日　　：意見書、手続補正書の提出
第２　当審で通知した令和３年４月２２日付け拒絶理由（以下、「当審拒絶理由」という。）の概要
理由１（明確性）請求項１４、１５が引用する請求項１０〜１３は、「第１イヤセット機器の通訳機能提供方法」であって、第１イヤセット機器には、入力された音声の送信機能、音声の受信機能、音声の出力機能しかなく、コンピュータプログラムであるアプリケーションは、電子機器が有するものであるから、請求項１０〜請求項１３のいずれか一項に記載の方法を引用するコンピュータプログラムとはどのようなものなのか、明確でなく、この出願は、特許請求の範囲の記載が、特許法第３６条第６項第２号に規定する要件を満たしていない。
理由２（進歩性）この出願の下記の請求項に係る発明は、その出願前に日本国内又は外国において、頒布された引用文献１〜５に記載された発明又は電気通信回線を通じて公衆に利用可能となった発明に基づいて、その出願前にその発明の属する技術の分野における通常の知識を有する者（以下、「当業者」という。）が容易に発明をすることができたものであるから、特許法第２９条第２項の規定により特許を受けることができない。
記
請求項１、２、４、７、９、１２、１８について、引用文献１、２
請求項３について、引用文献１〜３
請求項５、６について、引用文献１、２、４
請求項８について、引用文献１、２、５
請求項１０について、引用文献１
請求項１１、１７について、引用文献１、３
請求項１３、１９について、引用文献１、５
請求項１４、１５について、引用文献１〜５
請求項１６について、引用文献１
引用文献１：世界の言葉の壁を取り払う、同時通訳イヤホンＰｉｌｏｔが商品化！，株式会社ユーディーアール　ワールドビジネスブログ，株式会社ユーディーアール，２０１６年６月３０日，ＵＲＬ＝https://www.udr-inc.com/2016/06/30/%E4%B8%96%E7%95%8C%E3%81%AE%E8%A8%80%E8%AA%9E%E3%81%AE%E5%A3%81%E3%82%92%E5%8F%96%E3%82%8A%E6%89%95%E3%81%86-%E5%90%8C%E6%99%82%E9%80%9A%E8%A8%B3%E3%82%A4%E3%83%A4%E3%83%9B%E3%83%B3pilot%E3%81%8C%E5%95%86%E7%94%A8%E5%8C%96/
引用文献２：特表２０１６−５０９３７９号公報
（パテントファミリー
　　国際公開第２０１４／１６９６０９号
　　欧州特許出願公開第２９９０９４３号明細書
　　韓国公開特許第１０−２０１５−００７９８２６号公報）
引用文献３：米国特許出願公開第２０１４／０１７７８８５号明細書
引用文献４：特開２０１６−９１３５０号公報
引用文献５：米国特許出願公開第２０１７／００６０８５０号明細書
第３　原査定の拒絶の理由の概要
（進歩性）この出願の下記の請求項に係る発明は、その出願前に日本国内又は外国において、頒布された引用文献Ａ、Ｂに記載された発明又は電気通信回線を通じて公衆に利用可能となった発明に基づいて、当業者が容易に発明をすることができたものであるから、特許法第２９条第２項の規定により特許を受けることができない。
記
請求項１〜８、１１〜１３、１５〜１９について、引用文献Ａ
請求項９、１０、１４、２０について、引用文献Ａ、引用文献Ｂ
引用文献Ａ：特表２０１５−５２１４０４号公報
引用文献Ｂ：特開２００６−１４６７３２号公報
第４　本願発明
　本願の請求項１〜１５に係る発明（以下、それぞれ「本願発明１」〜「本願発明１５」という。）は、令和３年７月２６日の手続補正で補正された特許請求の範囲の請求項１〜１５に記載された事項により特定される以下のとおりのものである。
「【請求項１】
　電子機器が実行する通訳機能提供方法であって、
　第１イヤセット機器または前記第１イヤセット機器とイヤセットペアをなす第２イヤセット機器で発生するアプリケーション実行信号を受信する段階、
　前記受信したアプリケーション実行信号に対応するアプリケーションを実行する段階、
　前記実行するアプリケーションの制御にしたがい、前記第１イヤセット機器および前記第２イヤセット機器のうちの一方を通じて受信した音声に対する他の言語への通訳機能を提供する段階、および
　前記他の言語へ通訳された結果を、前記第１イヤセット機器および前記第２イヤセット機器のうちの他方へ送信する段階
　を含み、前記第１イヤセット機器および前記第２イヤセット機器は左右の耳に着用されるイヤセットペアを構成し、
　前記通訳機能を提供する段階は、
　前記第１イヤセット機器を通じて入力され前記電子機器が受信した第１言語の音声を第２言語のテキストに変換して前記電子機器のディスプレイで表示し、前記第２イヤセット機器を通じて入力され前記電子機器が受信した第２言語の音声を第１言語のテキストに変換して前記電子機器のディスプレイで表示することを含む、通訳機能提供方法。
【請求項２】
　前記通訳機能を提供する段階は、
　前記第１イヤセット機器を通じて入力され前記電子機器が受信した第１言語の音声を第２言語の音声に変換して前記第２イヤセット機器に提供し、前記第２イヤセット機器を通じて入力され前記電子機器が受信した第２言語の音声を第１言語の音声に変換して前記第１イヤセット機器に提供する、請求項１に記載の通訳機能提供方法。
【請求項３】
　前記電子機器は、前記第１イヤセット機器および前記第２イヤセット機器のうちのいずれか１つのイヤセット機器と直接通信し、前記直接通信するイヤセット機器と残り１つのイヤセット機器間の無線通信によって前記残り１つのイヤセット機器と間接通信する、請求項１に記載の通訳機能提供方法。
【請求項４】
　前記電子機器は、前記第１イヤセット機器および前記第２イヤセット機器の両方と同時に直接通信する、請求項１に記載の通訳機能提供方法。
【請求項５】
　前記受信したアプリケーション実行信号または前記実行するアプリケーションで入力される通訳モード開始信号に基づいて、前記第１イヤセット機器および前記第２イヤセット機器のうちの少なくとも１つを利用した音楽鑑賞モードまたは電話通話モードを通訳モードに切り替える段階、および
　前記第１イヤセット機器と第２イヤセット機器を含むイヤセットペアのうちいずれか１つのイヤセット機器で発生するアプリケーション終了信号または前記アプリケーションで入力される通訳モード終了信号に基づいて、前記通訳モードを前記音楽鑑賞モードまたは電話通話モードに切り替える段階
　をさらに含む、請求項１に記載の通訳機能提供方法。
【請求項６】
　前記受信したアプリケーション実行信号または前記実行するアプリケーションで入力される通訳モード開始信号に基づいて、前記第１イヤセット機器および前記第２イヤセット機器のうちの少なくとも１つを利用して実行中の電話通話モードを通訳モードに切り替える段階、
　前記第１イヤセット機器および前記第２イヤセット機器のうちの少なくとも１つを通じて入力され前記電子機器が受信した第１言語の音声を、前記通訳機能を利用して第２言語の音声に変換する段階、
　前記第１イヤセット機器または第２イヤセット機器で発生するアプリケーション終了信号または前記アプリケーションで入力された通訳モード終了信号に基づいて、前記通訳モードを前記電話通話モードに切り替える段階、および
　前記変換された第２言語の音声を、前記電話通話モードを通じて電話通話の相手に提供する段階
　をさらに含む、請求項１に記載の通訳機能提供方法。
【請求項７】
　前記アプリケーション実行信号は、前記第１イヤセット機器および前記第２イヤセット機器のうちの少なくとも１つが含む物理的なボタンによる入力、または前記第１イヤセット機器および前記第２イヤセット機器のうちの少なくとも１つが含むセンサの出力値によって発生する、請求項１に記載の通訳機能提供方法。
【請求項８】
　前記通訳機能を提供する段階は、
　前記第１イヤセット機器を通じて入力され前記電子機器が受信した音声の第１言語と前記第２イヤセット機器を通じて入力され前記電子機器が受信した音声の第２言語を感知する段階、
　感知された第１言語の音声を感知された第２言語の音声に変換し、感知された第２言語の音声を感知された第１言語の音声に変換する段階、および
　前記変換された第２言語の音声を前記第２イヤセット機器に提供し、前記変換された第１言語の音声を前記第１イヤセット機器に提供する段階
　を含む、請求項１に記載の通訳機能提供方法。
【請求項９】
　前記通訳機能を提供する段階は、
　前記第１イヤセット機器を通じて入力され前記電子機器が受信した音声を、前記アプリケーションで前記第２イヤセット機器に対して設定された第２言語に変換し、前記第２イヤセット機器を通じて入力され前記電子機器が受信した音声を、前記アプリケーションで前記第１イヤセット機器に対して設定された第１言語に変換する段階、および
　前記変換された第２言語の音声を前記第２イヤセット機器に提供し、変換された第１言語の音声を前記第１イヤセット機器に提供する段階
　を含む、請求項１に記載の通訳機能提供方法。
【請求項１０】
　通訳機能提供方法であって、
　第１イヤセット機器に入力された第１言語の音声が電子機器で実行されるアプリケーションの通訳機能によって第２言語の音声に変換され、前記第１イヤセット機器とイヤセットペアをなす第２イヤセット機器に提供されるように、前記第１言語の音声を前記電子機器に送信する段階、
　前記第２イヤセット機器に入力されて前記電子機器で受信された第２言語の音声を、前記電子機器が前記実行されるアプリケーションの通訳機能によって第１言語の音声に変換することに応答し、前記電子機器から前記変換された第１言語の音声を前記第１イヤセット機器が受信する段階、および
　前記第１イヤセット機器が前記受信した第１言語の音声を出力する段階
　を含み、前記第１イヤセット機器および前記第２イヤセット機器は左右の耳に着用されるイヤセットペアを構成し、
　前記電子機器は、前記アプリケーションの通訳機能を実行する場合に、
　前記第１イヤセット機器を通じて入力され前記電子機器が受信した第１言語の音声を第２言語のテキストに変換して前記電子機器のディスプレイで表示し、前記第２イヤセット機器を通じて入力され前記電子機器が受信した第２言語の音声を第１言語のテキストに変換して前記電子機器のディスプレイで表示する、通訳機能提供方法。
【請求項１１】
　前記第２イヤセット機器と前記電子機器間の通信を中継するか、または前記第２イヤセット機器の中継によって前記電子機器と通信する、請求項１０に記載の通訳機能提供方法。
【請求項１２】
　前記第１イヤセット機器および前記第２イヤセット機器のうちの少なくとも１つが含む物理的なボタンによる入力、または前記第１イヤセット機器および前記第２イヤセット機器のうちの少なくとも１つが含むセンサの出力値によって発生し、前記電子機器に送信されるアプリケーション実行信号によって前記電子機器で前記アプリケーションが実行される、請求項１０に記載の通訳機能提供方法。
【請求項１３】
　前記第１言語は、前記第１イヤセット機器に入力される音声の言語を前記実行されたアプリケーションを利用して感知した言語を含むか、または前記実行されたアプリケーションで前記第１イヤセット機器に対応して予め設定された言語を含み、
　前記第２言語は、前記第２イヤセット機器に入力される音声の言語を前記実行されたアプリケーションを利用して感知した言語を含むか、または前記実行されたアプリケーションで前記第２イヤセット機器に対応して予め設定された言語を含む、請求項１０に記載の通訳機能提供方法。
【請求項１４】
　コンピュータと結合して請求項１〜１３のうちのいずれか一項に記載の方法をコンピュータに実行させるためにコンピュータで読み取り可能な記録媒体に格納された、コンピュータプログラム。
【請求項１５】
　請求項１〜１３のうちのいずれか一項に記載の方法をコンピュータに実行させるためのプログラムが記録されている、コンピュータで読み取り可能な記録媒体。」
第５　引用文献、引用発明
（１）引用文献１、引用発明
ア　当審拒絶理由に引用した引用文献１には次のとおりの記載がある。
「米国のWaverly Labsが開発したイヤホン型の自動翻訳機”Pilot”はスタートレックに出てきた夢のウェアラブル型翻訳機（ユニバーサル・トランスレーター）のようだ。
このイヤホン型翻訳機は二人の話者間で使用するツールで、音声認識、機械翻訳、音声合成及びウェアラブルという最先端技術を使ってユーザーの言語を即時翻訳する。
Pilotのイヤホン内部にはブルートゥース搭載のマイクが内蔵されており、音声をキャッチしてスマートフォンに転送する。スマートフォン内のアプリは音声認識を使用して音声をテキスト化。これを機械翻訳であらかじめ設定された言語へと翻訳するという仕組みになっている。翻訳されたテキストは、テキスト読み上げ機能で音声変換され、イヤーピースから音声として流れる。
例えば、英語を話すユーザーが英語で話すとWaverly Labsのスマホアプリがフランス語に同時通訳し、会話相手のフランス語話者のイヤホンに送信する。また同様にフランス語を英語に通訳する。
現在Pilotはラテン語起源とするフランス語、スペイン語、イタリア語と英語間で通訳できる。今後はスラブ言語や東南アジアの言語など、他言語も通訳できるようになるだろう。」
イ　引用発明
　上記アによると、引用文献１には、
「イヤホン内部にブルートゥース搭載のマイクが搭載された、２人の話者間で使用するイヤホン型翻訳機と、スマートフォン内のアプリとからなる自動翻訳方法であって、
イヤホン内部のマイクで音声をキャッチしてスマートフォンに転送し、
スマートフォン内のアプリは、音声認識を使用して音声をテキスト化し、これを機械翻訳であらかじめ設定された言語へと翻訳し、翻訳されたテキストを、テキスト読み上げ機能で音声変換し、会話相手のイヤホンに送信し、
イヤホンから音声として流す、
自動翻訳方法。」の発明（以下、「引用発明１」という。）が記載されている。
（２）　引用文献２
ア　当審拒絶理由に引用した引用文献２には、次のとおりの記載がある。下線は、当審が付した。
「【技術分野】
【０００１】
　本発明は、スマート端末技術分野に関し、特に、
スマート端末デバイスの制御方法
【背景技術】
【０００２】
　スマート端末デバイスとは、マルチメディア機能を有するスマートデバイスを意味する。これらデバイスは、オーディオ、ビデオ、データ、等に関する機能を提供する。例えば、テレビ電話、会議端末、マルチメディア機能が内蔵されたパーソナルコンピュータ（ｐｅｒｓｏｎａｌ ｃｏｍｐｕｔｅｒ ＰＣ）、パーソナルデジタルアシスタント（Ｐｅｒｓｏｎａｌ Ｄｉｇｉｔａｌ Ａｓｓｉｓｔａｎｔ ＰＤＡ）等は、すべて、スマート端末デバイスに属する。
【０００３】
　スマート端末デバイスの高速の普遍化に伴い、これらデバイスのオーディオビジュアルのエクスペリエンスもますます完璧になっている。これらは、もう、人々の外出する過程中の重要なエンターテイメント用デバイスになった。
【０００４】
　一方、
移動アプリケーションの場合、ユーザは、ほとんど、イヤホンを着用してマルチメディア・コンテンツを聴く。例えば、オーディオやビデオを再生させる時、或は、ゲームを運行させる際に、イヤホンを使用して聴くことになる。もう一方、移動インターネットによるオーディオ通信及びビデオ通信の発展に伴い、人々は、オーディオ通信又はビデオ通信を行う時にも、イヤホンをよく使用する。
【発明の概要】
【発明が解決しようとする課題】
【０００５】
　しかし、多数の緊急の場合に、ユーザは、よく、耳からイヤホンを取るために慌てた後に、マルチメディア・コンテンツの再生の中止を忘れるか、或は、それに間に合わなくなるため、再生させているオーディオ及びビデオ、或は、ゲームを逃すか、デバイスの電力の無駄を招いてしまう。もし、ユーザがマルチメディアの再生を中止しようとすると、スマート端末の操作インターフェースに戻って一時停止ボタンを押下しなければならない。例えば、有線イヤホンの場合は、再生制御機能を有する線制御ボタンである一時停止ボタンを押下するか、或いは、そのまま、デバイスからイヤホンプラグを抜き出すことで、再生を一時停止させる必要がある。無線イヤホンの場合は、イヤホン上のスイッチを押下するか、或いは、再生インターフェース上の一時停止ボタンを押下することで、再生を一時停止させる必要がある。」
「【０００８】
　本発明に係る実施例は、
イヤホンの着脱状態が変更された時に行うべき操作を簡素化でき、
【０００９】
　上記の問題を解決するために、本発明に係る実施例の第１の態様によると、スマート端末デバイスの制御方法を提供する。前記方法は、
スマート端末デバイスに接続されたイヤホンのイヤーピースの、着用及び脱着を含む着脱状態をモニタリングするステップと、前記イヤーピースの着脱状態に基づいて、前記スマート端末デバイス中のアプリケーションの運行状態を制御する
【００１０】
　オプションとして、前記イヤーピースの着脱状態に基づいて、前記スマート端末デバイス中のアプリケーションの運行状態を制御するか、及び／或いは、前記スマート端末デバイスの動作モードを制御するステップは、前記スマート端末デバイス中に運行中のアプリケーションが存在するか否かを検出するステップと、前記スマート端末デバイス中に運行中のアプリケーションが存在しない場合、前記イヤーピースの着脱状態に基づいて、予め設定した対策に従って、前記スマート端末デバイス中のアプリケーションを起動して運行させるステップと、前記スマート端末デバイス中に運行中のアプリケーションが存在する場合、前記運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するステップとを含む。
【００１１】
　オプションとして、イヤーピースの着脱状態に基づいて、予め設定した対策に従って、前記スマート端末デバイス中のアプリケーションを起動して運行させるステップは、
前記イヤーピースの着脱状態が着用である場合、前記スマート端末デバイスのデスクトップアプリケーションを起動して運行及び表示させるように制御する
「【００１４】
　オプションとして、スマート端末デバイスに接続されたイヤホンのイヤーピースの着脱状態をモニタリングするステップは、前記イヤホンのイヤーピースの表面或いは内部に設置されたセンサを用いて、前記スマート端末デバイスに接続されたイヤホンのイヤーピースの着脱状態をモニタリングするステップを含み、前記センサは、カメラセンサ、容量型静電気センサ、抵抗型圧力センサ、圧電センサ、光センサ、赤外線センサ及び距離センサの中の少なくとも一つを含む。」
「【００３５】
　本発明に係る実施例において、上記のスマート端末デバイスに接続されたイヤホンは、無線イヤホン（Ｂｌｕｅｔｏｏｔｈイヤホン等を含み）であってもよく、有線イヤホンであってもよいし、本発明に係る実施例はこれに対して限定しない。」
「【００３７】
　ここで、左側と右側との二つのイヤーピースを有するイヤホン（有線或いは無線）の場合、少なくとも一つのイヤーピースの着脱状態がモニタリングされると、当該イヤホンが着用状態にあると判断し、二つのイヤーピースがすべて脱着状態にあることがモニタリングされると、当該イヤホンが脱着状態にあると判断する。一つのイヤーピースを有するイヤホンの場合、当該イヤーピースの着用状態又は脱着状態が、当該イヤホンの状態を代表する。」
「【００４９】
　従来の技術においては、有線イヤホン或は無線イヤホンのマイクロスイッチは、マルチメディア・コンテンツの再生、ゲーム、通信等を制御するための周辺デバイスである。図３は、従来技術でのイヤホンの内部構成図である。
【００５０】
　図３中のマイクロスイッチは、マルチメディア・コンテンツの再生、ゲームの運行、通信の実施、等の操作を制御できる。端末デバイスにおいて、マルチメディア・コンテンツを再生させているか、一時停止させる過程において、マイクロスイッチをクリックすると、デバイスは、命令を受け取って再生を続けるか、或は、再生を一時停止させることになり、端末デバイスの通信過程において、マイクロスイッチをクリックすると、デバイスは、命令を受け取って電話を受けるか、或は、電話を切ることになる。
【００５１】
　しかし、上記の技術中の有線イヤホン、或は、無線イヤホンのマイクロスイッチの場合は、手動操作を通じてマルチメディアの再生、ゲーム、通信、等を制御するが、頻繁の機械的操作は、イヤホンのスイッチ、プラグ、及び、インターフェースの摩耗及び老化を招いてしまい、また、手動操作の過程が煩雑である。
【００５２】
　上記の問題を解決するために、本発明に係る実施例は、センサを用いて、イヤホンのイヤーピースの着脱状態をリアルタイムにモニタリングして、着脱状態によって、スマート端末デバイスが該当する操作を実行するように自動的に制御できる構成を提供する。
【００５３】
　図４は、本発明の実施例２に係るイヤホンの内部構成図である。図４から分かるように、本発明に係る実施例においては、イヤホン上に、イヤホンの着脱状態をリアルタイムに
モニタリングできるセンサを追加してもよい。
【００５４】
　このため、当該ステップ２００は、以下のステップを含んでもよい。
【００５５】
　サブステップ２００１において、イヤホンのイヤーピース表面、或いは、内部に設置されたセンサを用いて、スマート端末デバイスに接続されたイヤホンのイヤーピースの着脱状態をモニタリングする。
【００５６】
　本発明に係る実施例において、上記のセンサは、カメラセンサ、容量型静電気センサ、抵抗型圧力センサ、圧電センサ、光センサ、赤外線センサ及び距離センサの中の一つ、或いは、幾つかの組み合わせを含んでもよい。
【００５７】
　当然ながら、上記のセンサは、他の種類のセンサを含んでもよく、本発明に係る実施例はこれに対して限定しない。
【００５８】
　イヤホンのイヤーピース表面、或いは、内部のセンサを用いて、外部の信号を検出して、検出された信号に基づいて、スマート端末デバイス上のイヤホンのイヤーピースの着脱状態を判断してもよく、即ち、現在、イヤホンのイヤーピースが着用されているか、又は、脱着されているかを判断する。」
イ　引用文献２記載事項
　上記アの記載によると、引用文献２には、
「スマート端末デバイスのイヤホンの着脱状態が変更された時に行うべき操作を簡素化でき、イヤホンの機械的の部分の使用寿命を改善するため（【０００８】）、スマート端末デバイスに接続されたイヤホンのイヤーピースの、着用及び脱着を含む着脱状態をモニタリングし、前記イヤーピースの着脱状態に基づいて、前記スマート端末デバイス中のアプリケーションの運行状態を制御し（【０００９】）、前記イヤーピースの着脱状態が着用である場合、前記スマート端末デバイス中の予め設定したアプリケーションを起動して運行させるように制御する」（【００１１】）こと（以下、「引用文献２記載事項」という。）が記載されている。
（３）引用文献３
ア　当審拒絶理由に引用した引用文献３には、次のとおりの記載がある。訳文中の下線は、当審が付した。
「[0014] FIG. 1 shows one system 100 using wireless devices in a direct communication mode with a remote source 102 according to one embodiment of the present subject matter. Remote source 102 transmits signals 105 to the first hearing communication device 104 including first audio information. Remote source 102 also transmits signals 109 to the second hearing communication device 108 including second audio information. In this embodiment, the first hearing communication device 104 does not have a wireless connection to the second hearing communication device 108 for transmitting stereo information from the first hearing communication device 104 to the second hearing communication device 108. Thus, the first audio information is wirelessly received by the first hearing communication device 104 and played to a first ear of the wearer and the second audio information is wirelessly received by the second hearing communication device 108 and played to the second ear of the wearer.
[0015] The system in various embodiments can also support eavesdropping modes. For example, as shown in FIG. 2, in system 200 remote source 202 is in communications with first hearing communication device 204 via signals 205. Second hearing communication device 208 can “listen in” on communications from remote source 202 using a mode that is different than the mode used by the first hearing communication device 204. For instance, it is possible that second hearing communication device 208 receives signals 210, but does not control, for example, handshaking with remote source 202 to the same extent as first communication device 204. Other eavesdropping modes can be employed without departing from the scope of the present subject matter.
[0016] FIG. 3 depicts one embodiment where a relaying mode is employed to communicate wirelessly between the first hearing communication device 304 and the second hearing communication device 308. In this embodiment, first and second audio information is sent over signal 305 to the first hearing communication device 304. The second audio information is then relayed to the second hearing communication device 308 via relay signal 311. Such relay may be performed using different frequencies, different communication modes and with different data rates, for different implementations if desired. In one embodiment, the first hearing communication device 304 may demodulate and decode stereo information and encode and relay the channel bound for the instrument on or in the other ear. In various embodiments, the communications can be made using similar transmissions to the primary transmission. In various embodiments, the communications can be maded using a different method than that of the primary transmission. In various embodiments, the signals 305 and 311 are unidirectional. In various embodiments, the signals 305 and 311 are bidirectional. In various embodiments, the signals 305 and 311 are programmably combinations of unidirectional and/or bidirectional. Thus, the system 300 is highly programmable to adapt to a number of communication requirements and applications. In one embodiment, relay signal 311 is a substantially magnetically coupled or near field communication link. In one embodiment, a telecoil is employed to receive the relay signal 311. In one embodiment, a magnetic sensor is used to receive the relay signal 311. In one embodiment, relay signal 311 is a radio frequency or far field communication link. Other communication links, such as infrared and ultrasonic may be employed in various applications.」
（当審訳：
[0014]図１は、本主題の一実施形態によるリモートソース102との直接通信モードでワイヤレスデバイスを使用する1つのシステム100を示す。リモートソース102は、第1のオーディオ情報を含む信号105を第１の聴覚通信装置104に送信する。また、リモートソース102は、第２オーディオ情報を含む信号109を第２聴覚通信装置108に送信する。本実施形態では、第１の聴覚通信装置104は、第１の聴覚通信装置104から第２の聴覚通信装置108にステレオ情報を送信するための、第２の聴覚通信装置108との無線接続を有していない。したがって、第１音声情報は、第１聴覚通信装置104によって無線で受信され、装着者の第１の耳に再生され、第２音声情報は、第２聴覚通信装置108によって無線で受信され、装着者の第２の耳に再生される。
[0015]様々な実施形態におけるシステムは、傍受モードもサポートすることができる。例えば、図２に示すように、システム200において、リモートソース202は、信号205を介して第１の聴覚通信装置204と通信している。第２の聴覚通信装置208は、第１の聴覚通信装置204が使用するモードとは異なるモードを使用して、リモートソース202からの通信を「傍受」することができる。例えば、第２の聴覚通信装置208は、信号210を受信するが、第１の通信装置204と同じ程度に、例えば遠隔ソース202とのハンドシェイクを制御しないことが可能である。本主題の範囲から逸脱することなく、他の傍受モードを採用することができる。
[0016]図３は、
第１の聴覚通信装置304と第２の聴覚通信装置308との間で無線通信するために中継モード
第１および第２の音声情報が信号305を介して第１の聴覚通信装置304に送信される。そして、第２の音声情報は、中継信号311を介して第２の聴覚通信装置308に中継される。
イ　引用文献３記載事項
　上記アの記載によると、引用文献３には、
「第１の聴覚通信装置304と第２の聴覚通信装置308との間で無線通信するために中継モードが採用された場合、第１および第２の音声情報が信号305を介して第１の聴覚通信装置304に送信され、第２の音声情報は、中継信号311を介して第２の聴覚通信装置308に中継されること」（以下、「引用文献３記載事項」という。）が記載されている。
（４）引用文献４
ア　当審拒絶理由に周知技術を示す文献として引用した引用文献４には、次のとおりの記載がある。下線は、当審が付した。
「【背景技術】
【０００２】
　現在、
スマートフォン
【０００３】
　情報処理装置に表示される情報については、例えば、
表示優先度に応じて表示される順序が使い分けられる場合がある。
【０００４】
　例えば、ある
アプリケーションが起動され当該アプリケーションに関する情報が画面上に表示されている場合において、電話の着信があると、電話アプリケーションが起動され、着信があったことを示す情報が表示されるようになっている。この場合、あるアプリケーションよりも電話アプリケーションの方が、表示される優先度が高い
【０００５】
　また、例えば、通話中にあるエラーが発生すると、情報処理装置の画面上にはエラーメッセージが表示されるようになっている。
【０００６】
　従って、
このような情報処理装置においては、通常のアプリケーションよりも電話アプリケーションの方が表示優先度は高く、電話アプリケーションよりもエラーに関するアプリケーションの方が表示優先度は高くなっている。
【０００７】
　
表示優先度に応じて表示される情報の順序が使い分けられることで、例えば、そのようなことが行われない場合と比較して、ユーザへの情報通知をより早く行わせることが可能となり、緊急度の高い情報をユーザへ素早く通知することが可能となる。
「【００６２】
　＜１．１　全体動作例を示すシーケンス例＞
　図４に示すように、情報処理装置１００は、追加サービスアプリケーションプログラム１１４をダウンロードする（Ｓ１０）。ダウンロードした追加サービスアプリケーションプログラム１１４は、例えば、ＲＡＭ１３０又はメモリ１４０に記憶される。
【００６３】
　次に、アプリケーション制御部１１５は、先行アプリケーションプログラム１１３を起動させる（Ｓ１１）。例えば、以下のような処理が行われる。すなわち、表示部１７０において先行アプリケーション１１３の実行を指示するユーザ操作を検知したり、無線部１６０において着信に関する制御信号の受信を検知すると、その旨がアプリケーション制御部１１５へ通知される。そして、アプリケーション制御部１１５は、先行アプリケーションプログラム１１３をＲＯＭ１２０から読み出して、当該プログラム１１３の実行を開始する。
【００６４】
　次に、先行アプリケーション１１３は、当該アプリケーションに関する情報を表示部１７０に表示させる（Ｓ１４）。例えば、先行アプリケーション１１３では、当該アプリケーションプログラムが実行されることで、先行アプリケーションに関する情報を生成して、表示部１７０へ出力することで、当該情報を表示部１７０において表示させることができる。
【００６５】
　次に、アプリケーション制御部１１５は追加サービスアプリケーション１１４を起動させる（Ｓ１５，Ｓ１６）。例えば、以下のような処理が行われる。すなわち、表示部１７０ではユーザにより追加サービスアプリケーションの実行を指示する操作を検出するとその旨をアプリケーション制御部１５０へ通知する。アプリケーション制御部１１４は、当該通知を受け取ると、ＲＡＭ１３０又はメモリ１４０から追加サービスアプリケーションプログラム１１４を読み出し、アプリケーションレイヤ１１１へ出力し、当該プログラム１１４の実行を指示する。これにより、追加サービスアプリケーション１１４が起動される。
【００６６】
　次に、
追加サービスアプリケーション１１４は、優先表示設定をアプリケーション制御部１１５へ通知する（Ｓ１７）。優先表示設定は、例えば、追加サービスアプリケーション１１４が起動されたことをアプリケーション制御部１１５へ通知することで、追加サービスアプリケーション１１４に関する情報を表示することを要求している。例えば、追加サービスアプリケーション１１４は、起動を開始すると優先表示設定を生成し、生成した当該設定をアプリケーション制御部１１５へ通知する。
【００６７】
　
アプリケーション制御部１１５は、優先表示設定を受け取ると、優先表示アプリケーション起動通知を生成し、生成した当該通知を優先サービス起動エージェント１１６へ通知する（Ｓ１８）。優先表示アプリケーション起動通知は、例えば、追加サービスアプリケーション１１４が起動されたことを優先サービス起動エージェント１１６へ知らせるための通知である。
【００６８】
　
優先サービス起動エージェント１１６は、優先表示アプリケーション起動通知を受け取ると、優先サービス起動通知を先行アプリケーション１１３へ通知する（Ｓ１９）。例えば、優先サービス起動エージェント１１６は、当該通知により、先行アプリケーション１１３が起動されたことを先行アプリケーション１１３へ通知している。
【００６９】
　
先行アプリケーション１１３は、優先サービス起動通知を受け取ると、追加サービスアプリケーション１１４がサービス制御許容可能か否かを判別し、許容可能と判別した場合、表示優先度制御を行う（Ｓ２０）。
【００７０】
　サービス制御許容可能か否かの判別は、例えば、以下のようにして行われる。すなわち、先行アプリケーション１１３は、優先サービス起動通知（Ｓ１９）に含まれる認証情報に基づいて認証処理を行うことで、通信キャリアが許容するアプリケーションか否かを判別する。この場合、先行アプリケーション１１３は、認証情報を優先サービス起動通知（Ｓ１９）から抽出する。先行アプリケーション１１３は、当該認証情報と、通信キャリアの許容するアプリケーションに対応する認証情報とを比較して、２つの認証情報が一致するか否かにより判別する。通信キャリアが許容するアプリケーションに対応する認証情報は、例えば、メモリ１４０に記憶されている。先行アプリケーション１１３は、本処理（Ｓ２０）の際に、通信キャリアが許容するアプリケーションに対応する認証情報をメモリ１４０から適宜読み出して、抽出した認証情報と比較することで処理を行う。
【００７１】
　また、表示優先度制御は、例えば、以下のように行われる。すなわち、先行アプリケーション１１３は、追加サービスアプリケーション１１４がサービス制御許容可能と判別した場合、先行アプリケーション１１３の表示優先度を１表示レイヤ低下させることを決定する。先行アプリケーション１１３と追加サービスアプリケーション１１４とが同一の表示優先度の場合、先行アプリケーション１１３の表示優先度を１表示レイヤ低下させることで、追加サービスアプリケーション１１４の表示が可能となる。
【００７２】
　先行アプリケーション１１３は、表示優先度制御を行い、表示優先度低下設定をアプリケーション制御部１１５へ通知する（Ｓ２１）。
【００７３】
　アプリケーション制御部１１５は、先行アプリケーション１１３から表示優先度低下設定を受け取ると、表示画面を切り替える（Ｓ２２）。例えば、以下のような処理が行われる。すなわち、アプリケーション制御部１１５は、表示優先度低下設定に基づき、先行アプリケーション１１３の表示優先度を１表示レイヤ下げる。そして、アプリケーション制御部１１５は、表示優先度を１表示レイヤ下げたことで、アプリケーションレイヤ１１１から表示部１７０へ出力する情報に関して、先行アプリケーション１１３から追加サービスアプリケーション１１４へ切り替える。
【００７４】
　これにより、追加サービスアプリケーション１１４は、当該アプリケーション１１４に関する情報を表示部１７０に表示させることができる（Ｓ２３）。
【００７５】
　その後、追加サービスアプリケーション１１４が終了する場合（Ｓ２４）、追加サービスアプリケーションのアプリケーション終了をアプリケーション制御部１１５へ通知する（Ｓ２５）。
【００７６】
　次に、アプリケーション制御部１１５は、追加サービスアプリケーション１１４のアプリケーション終了通知を優先サービス起動エージェント１１６へ通知する（Ｓ２６）。
【００７７】
　優先サービス起動エージェント１１６は、アプリケーション終了通知を受け取ると、追加サービスアプリケーション１１４の優先サービス終了通知を先行アプリケーション１１３へ通知する（Ｓ２７）。これにより、例えば、追加サービスアプリケーション１１４の終了が先行アプリケーション１１３へと通知される。
【００７８】
　先行アプリケーション１１３は、優先サービス終了通知を受け取ると、表示優先度制御を行う（Ｓ２８）。例えば、先行アプリケーション１１３は、１表示レイヤ下げた自アプリケーションの表示優先度を１表示レイヤ上昇させることを決定する。
【００７９】
　次に、先行アプリケーション１１３は、表示優先度上昇設定をアプリケーション制御部１１５へ通知する（Ｓ２９）。
【００８０】
　アプリケーション制御部１１５は、先行アプリケーション１１３の表示優先度を１表示レイヤ上昇させて、先行アプリケーション１１３の情報が表示させるよう表示部１７０に表示される表示画面を切り替える（Ｓ３０）。例えば、アプリケーション制御部１１５は、表示優先度上昇設定に基づいて、先行アプリケーション１１３から表示部１７０へ、先行アプリケーション１１３において実行された情報などを出力する。これにより、先行アプリケーション１１３への画面の切り替えが行われる。
【００８１】
　表示画面の切り替えにより、先行アプリケーション１１３は、自アプリケーション１１３に関する情報を表示部１７０へ表示させることができる（Ｓ３１）。」
イ　引用文献４記載事項
　上記アの記載によると、引用文献４には、「スマートフォンなどの情報処理装置において、複数のアプリケーションを、アプリケーションの優先度に応じて表示を切り替えること」（以下、「引用文献４記載事項」という。）が記載されている。
（５）引用文献５
ア　当審拒絶理由に引用した引用文献５には、次のとおりの記載がある。訳文中の下線は、当審が付した。
「[0023]The personal translator implementations described herein are advantageous in that they provide a speech translation device that can be wearable and which provides for hands-free in-person language translation. The speech translation device is small, light and inexpensive because it pairs with a nearby computing device and hence performs minimal complex processing itself and therefore requires few complex and expensive components. As a result, it is easily transportable and in a wearable configuration can be worn for long periods of time without discomfort to a wearer. The speech translation device translates bilingually (e.g., English to/from Chinese) in in-person scenarios (e.g., in taxi cab, at a store counter, etc.) in real-time. A conversational translation allows for flowing conversations, rather than an utterance-at-a-time translation. In some implementations, the speech translation device is always on, and is activated by single touch and/or voice cue. The personal translator detects the language being spoken and automatically translates the received speech to the opposing language in the conversation. For example, when worn or used by an English speaker in France, it will translate any detected French to English and any detected English to French. This allows for bi- to multi-lingual scenarios between two or more participants. In some personal translator implementations the translations are displayed at the same time a transcript of the translated speech is output by a loudspeaker of the speech translation device. This implementation is particularly beneficial for allowing deaf or hearing impaired persons to participate in a conversation (either in the same language or in a bi-lingual conversation). In some implementations the loudspeaker has a resonant chamber which allows for increased volume of the translated speech with minimal energy consumption.」
（当審訳：
[0023]本明細書に記載されているパーソナル・トランスレーターの実施は、
ウェアラブル
個人用の翻訳機は、話している言語を検出し、受信した音声を会話の中の反対側の言語に自動的に翻訳する。例えば、フランスで英語を話す人が装着・使用した場合、検出されたフランス語を英語に、検出された英語をフランス語に翻訳する。
イ　引用文献５記載事項
　上記アの記載によると、引用文献５には、
「ウェアラブルの翻訳機において、話している言語を検出し、受信した音声を会話の中の反対側の言語に自動的に翻訳すること」（以下、「引用文献５記載事項」という。）が記載されている。
（６）新たに示す引用文献６（外国語を同時通訳してくれるイヤフォン「Pilot」はお手頃価格!，Techable(テッカブル)，２０１６年５月２９日,URL=https://techable.jp/archives/41092）には、次のとおりの記載がある。（下線は、当審が付した。）
「・会話をリアルタイムに翻訳
　使うには
専用アプリをスマホにダウンロードし、イヤホンを耳に装着するだけ。
異なる言語を話す人がお互いにこのイヤホンをつけると、相手の言葉が同時翻訳される
リアルタイムに異言語で会話ができる。」
「例えば、
英語を話す人とフランス語を話す人が会話するとき、Pilotをつけていれば、英語の話し言葉は相手のPilotからフランス語に翻訳されて流れる。
逆にフランス語の話し言葉は相手のPilotから英語となって流れるので、異なる言語での会話が成り立つ
・pilotはワイヤレスイヤホンとしても
　開発を手がけたニューヨーク拠点のスタートアップWaverly Labsによると、
Pilotはペアで販売されるので、相手に片方のピースを装着してもらうことで面識のない人とも会話ができる。
また、
翻訳以外にも、普通にワイヤレスイヤホンとして音楽などを聞くことも可能
（７）引用文献Ａ
ア　原査定の拒絶の理由に引用された引用文献Ａには、次のとおりの記載がある。下線は、当審が付した。
「【００２７】
　一例示的な実施形態では、
２つ以上のＨＣ１００が、第１口語人間言語（すなわち、もととなる言語たる原始言語）から第２口語人間言語（すなわち、目標の言語）への即時翻訳を行い得る。
ＨＣ１００の２人以上のユーザは、各ユーザが、異なる言語を話し、当該ユーザが話しかけている相手と視線を合わせ続けながら、互いに対話することができる。翻訳の形式は、第１（原始）言語の音声から第２（目標）言語のテキストおよび音声を含み、またはその逆を含み得る。
【００２８】
　図２は、２つ以上のＨＣ１００同士の通信リンクおよび各ＨＣ１００とクラウドベースネットワークリソース４０１とのリンクを確立することを含む即時翻訳の例示的な実施形態を示す。
ＨＣ１００は、マイクロディスプレイ２１０と、１つ以上のマイクロホン（マイク１およびマイク２）２２０と、１つ以上のオーディオスピーカ（スピーカ１およびスピーカ２）２３０と、動作可能に接続されたプロセッサ２０５からさらに構成されるメインボード１０１と、
コマンド制御モジュール２５０と、音声認識捕捉モジュール２５５と、音声合成モジュール２６０と、無線通信モジュール２０８とから構成され得る。
【００２９】
　さらに、ＨＣ１００のいくつかの実施形態では、ユーザは、好ましい性能のために、ＨＣ１００の設定および動作をカスタマイズできる。カスタマイズは、即時翻訳セッションのためにローカル通信ネットワークを確立する前に、第１言語を、ＨＣ１００の好ましい操作言語として設定することを含み得る。例えば、好ましい（またはデフォルト）言語が、コンピュータソフトウェアアプリケーション製品をＨＣ１００に最初にインストールし、設定する時に、設定され得る。理解されるように、好ましい言語は、例えばＨＣ１００のユーザが話している時などのいくつかの例では、原始言語であり得て、または、例えばＨＣ１００が当該好ましい言語以外の言語のテキストを受け取る時などは、目標言語であり得る。
【００３０】
　ＨＣ１００とクラウドベースネットワークリソース４０１との通信が、スマートフォンなどの周辺ホストデバイス２００を無線中継器として用いるさまざまな無線通信方法によって、可能にされ得る。いくつかの実施形態では、ＨＣ１００は、Ｗｉ−Ｆｉ、３Ｇ（ＧＳＭ（登録商標）、ＣＤＭＡなど）もしくは４Ｇ　ＬＴＥセルラー方式、またはWiFi-Directなどのさまざまな無線通信方法を用いて、クラウドベースネットワークリソース４０１と直接通信し得る。クラウドベースネットワークリソース４０１は、クラウドベース音声認識／ディクテーションモジュール４０５とテキスト翻訳モジュール４１０とを含み得る。
【００３１】
　図２は、２つ以上のＨＣ１００同士の通信リンクおよび各ＨＣ１００とクラウドベースネットワークリソース４０１とのリンクを確立することを含む即時翻訳の例示的な実施形態を示す。各ＨＣ１００間の通信リンクを含むローカル通信ネットワークが、確立され得る。Ｂｌｕｅｔｏｏｔｈ（登録商標）パーソナルエリアネットワーク（ＰＡＮ）プロファイルなどのプロトコルを用いる短距離無線が、ローカルネットワークのために用いられ得る。問合せメッセージング（interrogatory messaging）には、各ＨＣ１００の好ましい（またはデフォルト）言語の設定を示すデータが含まれ得る。例えば、図２の２つのＨＣ１００Ａおよび１００Ｂを考慮すると、ＨＣ１００Ａは、英語話者３０１Ａ（ユーザとも呼ぶ）に用いられ、英語音声を聞く（すなわち、認識する）ように構成されるが、一方、ＨＣ１００Ｂは、仏語話者３０１Ｂ（ユーザとも呼ぶ）に用いられ、仏語音声を聞くように構成される。言い換えると、音声認識捕捉モジュール２５５は、ソフトウェアを介して各ＨＣ１００の各ユーザの音声を認識するように構成される。
【００３２】
　ＨＣ１００にインストールされたまたは実行されたソフトウェア製品アプリケーションの初期設定時、好ましい言語は、好ましい言語設定が、即時翻訳セッション前の、当該セッションを開始する要求の承認以外の追加のユーザ入力なしで、自動即時音声翻訳において参照され用いられるように、ユーザによって設定され得る。
【００３３】
　また、図２に示されるように、各ＨＣ１００Ａおよび１００Ｂは、Ｂｌｕｅｔｏｏｔｈ（登録商標）登録パケットなどの近距離（すなわち、およそ１００フィート以下）ネットワーク問合せ３０５を継続して送信する。このようなネットワーク問合せにより、ＨＣ１００Ａおよび１００Ｂは、当該デバイスが送信範囲内にある時、各ユーザ３０１Ａおよび３０１Ｂの手間なしで、瞬時かつ自動的にローカルネットワーク３１０を構成できる。問合せ３０５は、好ましいまたはデフォルト言語などの各ＨＣ１００の識別データと、他の動作特性とを保持し提供する。そのようなネットワーク３１０を識別および構成する時、ＨＣ１００Ｂが近くにあることだけでなく、ＨＣ１００Ｂが、仏語を話すユーザ３０１Ｂ用に設定されていることを、ＨＣ１００Ａは、認識させられる。同様に、そのようなローカル通信ネットワーク３１０を識別および構成する時、ＨＣ１００Ａが近くにあり英語を話すユーザ３０１Ａ用に設定されていることを、ＨＣ１００Ｂは認識する。さらに、各ＨＣ１００（１００Ａおよび１００Ｂ）は、各ユーザに即時音声翻訳セッションを開始できる選択肢を提供する。例えば、ＨＣ１００は、即時翻訳セッションを開始するためのオンスクリーン選択肢を、マイクロディスプレイを介してユーザに提示してもよい。ユーザは、ボイスコマンド、ヘッドモーションコマンド、ハンドジェスチャーコマンド、またはそれらの組み合わせを用いて、この即時翻訳セッションリクエストを承認または拒絶できる。
【００３４】
　各ユーザ３０１Ａおよび３０１Ｂが、即時音声翻訳セッションを一旦有効にすると、当該セッションは開始できる。例えば、
英語話者３０１Ａは、英語のフレーズをデバイス１００Ａに話す。ＨＣ１００Ａは、マイクロホン（複数可）２２０と連動して、音声認識捕捉モジュール２５５を用いて、英語音声オーディオ入力を捕捉する。捕捉された音声は、無線通信モジュール２０８を用いて、Ｗｉ−Ｆｉまたは４Ｇ　ＬＴＥなどのネットワーク接続４１５を介して、クラウドベース音声認識サービス４０５に送信される。クラウドベース音声認識サービス４０５は、典型的には数秒未満に、音声オーディオ入力を文章化された英語テキストとして、ＨＣ１００Ａに（接続４１５を介して）返す。
【００３５】
　そして、
返された文章化英語テキストすなわち英語文章は、第１ヘッドセットコンピュータ、ＨＣ１００Ａ、によって、第２ヘッドセットコンピュータ、ＨＣ１００Ｂに、例えばＢｌｕｅｔｏｏｔｈ（登録商標）接続であり得るローカルネットワークリンク３１０を通じて送信される。英語文章を受信した後、ＨＣ１００Ｂは、英語文章をクラウドベーステキスト翻訳サービス４１０に（無線通信モジュール２０８を用いるネットワーク接続４２０を通じて）送信して、その結果、当該英語文章は、文章化された仏語テキストすなわち仏語文章に翻訳され得る。クラウドベーステキスト翻訳サービス４１０が、受信された英語文章から仏語文章への翻訳を一旦完了すると、仏語文章はネットワーク接続４２０を通じてＨＣ１００Ｂに返される。仏語文章を受信すると、ＨＣ１００Ｂは、仏語文章をそのマイクロディスプレイ２１０に表示し、音声合成モジュール２６０が、オーディオスピーカ（複数可）２３０と連動して用いられて、対応する合成音声を仏語で生成する。
【００３６】
　当業者ならば、（仏語ユーザ３０１Ｂによる）仏語音声が、（英語ユーザ３０１側で）英語テキストおよび音声に翻訳されるように、プロセスが交互に入れ替えられて、その結果双方向翻訳サービスが実現され得ることが、分かるであろう。さらに、当業者ならば、上述の方法は、グループ翻訳オーディオのブロードキャストシステムが実現されるように、複数のＨＣ１００にまで適用範囲が拡張され得ることが、分かるであろう。言い換えると、例えば、英語話者３０１Ａは、英語で話して、それぞれが異なる言語に設定された複数の他のＨＣ１００に英語文章をブロードキャストでき、それによって、多言語即時翻訳システムを構築できる。各ＨＣ１００は、英語文章（例えば、原始言語すなわち第１言語（言語１）テキスト）を受信し、各ＨＣの好ましい（またはデフォルト）言語設定に従って第１言語すなわち原始言語すなわち一の言語と異なる適切な言語（例えば、目標言語すなわち第２言語（または第３もしくはそれ以上、例えば、言語２または言語３など））に当該英語文章を、視覚表示および合成音声のために、別個に翻訳する。」
「【００４５】
　図４は、即時音声翻訳に用いられるＨＣ１００、周辺ホストデバイス２００およびクラウドベースネットワークリソース５０５の別の実施形態を示す。ＨＣ１００は、マイクロディスプレイ２１０と、１つ以上のマイクロホン（マイク１およびマイク２）２２０と、１つ以上のオーディオスピーカ（スピーカ１およびスピーカ２）２３０と、カメラ１６０と、動作可能に接続されたプロセッサ２０５からさらに構成されるメインボード１０１と、メモリまたは他の記憶装置（図示せず）と、ノイズキャンセルモジュール（ＮＣＳ）２２５と、コマンド制御モジュール２５０と、音声認識／ディクテーションモジュール２５５と、音声合成モジュール２６０と、光学式文字認識（ＯＣＲ）モジュール１６５と、無線通信モジュール２０８とから構成され得る。ＨＣ１００は、さらに、即時音声翻訳を可能にする追加の要素から構成され得る。モジュール２５０、２５５、２６０、２２５は、上述のものである。
【００４６】
　さらに、ＨＣ１００のいくつかの実施形態では、ユーザは、好ましい性能のために、ＨＣ１００の設定および動作をカスタマイズできる。ＨＣ１００とクラウドベースネットワークソース５０５との通信が、スマートフォンなどの周辺ホストデバイス２００を無線中継器として用いるさまざまな無線通信方法によって、可能にされ得る。言い換えると、各ＨＣ１００は、ホストデバイス２００との通信リンクを含むローカル通信ネットワークを構成し得る。ホストデバイスは、第１すなわち原始言語（または第２すなわち目標言語）のテキストデータをネットワークサービス音声認識モジュール５５５（またはテキスト翻訳モジュール５７０）へ中継し得る。いくつかの実施形態では、ＨＣ１００は、図２で上述したように、Ｗｉ−Ｆｉ、３Ｇ（ＧＳＭ（登録商標）、ＣＤＭＡなど）もしくは４Ｇ　ＬＴＥセルラー方式、またはWiFi-Directなどのさまざまな無線通信方法を用いて、クラウドベースネットワークリソース５０５と直接通信し得る。クラウドベースネットワークリソース５０５は、クラウドベース音声認識／ディクテーションモジュール５５５と、ＯＣＲモジュール５６５と、音声合成モジュール５６０と、テキスト翻訳モジュール５７０とを含み得る。」
「【００４８】
　例示的な実施形態およびカスタマイズされた構成が、典型的には第２（外国）言語で、ＨＣ１００のユーザ／携帯者以外の人が話した音声が認識され翻訳され得るように、異なるマイクロホン２２０に関連する異なるノイズレベル閾値を設定することを、含み得る。いくつかの例示的な実施形態では、ＨＣ１００が、音声についての受け取られたオーディオ信号を聞き取り、モニタしている間、当該受け取られたオーディオ信号を処理するノイズキャンセル技術を用いなくてもよい。いくつかの例示的な実施形態では、合成音声が、特にユーザの各耳に対する少なくとも１つのオーディオスピーカ２３０を含むＨＣの例示的な実施形態において、ユーザ／携帯者に対して読み上げられ／発音される際にノイズキャンセル技術を用いてもよい。
【００４９】
　好ましい実施形態では、即時音声翻訳は、クラウドベースネットワークリソース５０５を用い得る。ＨＣ１００は、Ｂｌｕｅｔｏｏｔｈ（登録商標）またはWiFi Directなどの周知のワイヤレスプロトコルを用いて、無線通信モジュール２０８を介して、スマートフォンなどの周辺ホストデバイス２００と通信し得る。スマートフォン２００は、無線中継器として機能し得て、ＨＣ１００とクラウドベースネットワークリソース５０５との通信を可能にする。ＨＣ１００のいくつかの実施形態は、無線中継デバイス（例えば、ホスト２００）を用いずにクラウドベースネットワークリソース５０５との通信を可能にする、４Ｇ　ＬＴＥ、Ｗｉ−Ｆｉなどの複数の無線を含む無線通信モジュール２０８を含み得る。
【００５０】
　マイクロホン（マイク１およびマイク２）２２０は、１つの言語のボイス／オーディオ入力、すなわち、音声入力を受け取る。ノイズキャンセルモジュール（ＮＣＳ）２２５が、背景雑音を除去するために用いられて、マイクロホン２２０で受け取られたボイス／音声入力のより正確な表現が、ローカル音声認識モジュール２５５に供給され得る。ＮＣＳ２２５は、アクティブノイズキャンセル（ＡＮＣ）などの任意のノイズキャンセル技術を使用し得る。１つの（原始）言語の処理済みまたは未処理のボイス／音声入力が、ローカル音声認識／ディクテーションモジュール２５５に提供される。音声認識モジュール２５５は、受け取ったデジタルオーディオ入力信号に対して音声認識を行い、（原始言語の）認識した音声を原始言語のテキストに変換する。得られた（前記一の言語の／原始言語の）認識テキストは、リモートクラウドベース翻訳モジュール５７０に送信される。
【００５１】
　リモートクラウドベース翻訳モジュール５７０は、受信した原始言語のテキストを翻訳して、翻訳テキストを生成する（すなわち、テキストを前記一の言語／原始言語から第２言語／目標言語へテキストを翻訳する）。クラウドベースネットワークサーバ５０５は、翻訳テキストをＨＣ１００に、例えばホスト２００である中継器で、伝達する。翻訳テキストがＨＣ１００に受信された後、プロセッサは、コマンドを実行して、受信された目標言語のテキストをマイクロディスプレイ２１０に表示する。そして、翻訳テキストが、音声合成モジュール２６０に供給され得て、ＨＣ１００の１つ以上のオーディオスピーカ２３０を用いて読み上げられ（発音され）得る。ＨＣ１００のコマンド／制御モジュール２５０または音声／テキスト処理モジュール（ＳＴＴ２５５、ＴＴＳ２６０）は、ユーザ毎にデフォルト（または好みの）言語設定を有してもよい。このようにして、ＨＣ１００からホスト２００を介して中継された翻訳要求は、ユーザのデフォルト（好みの）言語設定に基づいて、目標言語を自動的に設定する。ユーザは、ＨＣ１００とクラウドベースネットワークサービス５０５との間でやりとりされた翻訳要求毎に、目標言語の指示を挿入または入力する必要がない。」
イ　引用発明Ａ
　上記アの記載によると、引用文献Ａには、
「マイクロディスプレイと、マイクロホンと、オーディオスピーカと、動作可能に接続されたプロセッサから構成されるメインボードと、コマンド制御モジュールと、音声認識捕捉モジュールと、音声合成モジュールと、無線通信モジュールとから構成された２つのヘッドセット（１００Ａ、１００Ｂ）とクラウドからなる翻訳システムにおいて、第１のヘッドセット１００Ａから、英語を話すと、マイクロホンと連動して、音声認識捕捉モジュールを用いて、英語音声オーディオ入力を捕捉し、捕捉された音声は、無線通信モジュールを用いて、ネットワーク接続を介して、クラウドベース音声認識サービスに送信され、クラウドベース音声認識サービスは、音声オーディオ入力を文章化された英語テキストとして、第１ヘッドセット１００Ａに返し、第１ヘッドセット１００Ａは、返された文章化英語テキストを、第２ヘッドセット１００Ｂに、ローカルネットワークリンクを通じて送信し、第２ヘッドセット１００Ｂは、文章化英語テキストを受信した後、文章化英語テキストをクラウドベーステキスト翻訳サービスに送信して、クラウドベーステキスト翻訳サービスは、当該英語文章を、文章化された仏語テキストすなわち仏語文章に翻訳し、仏語文章はネットワーク接続を通じて第２ヘッドセット１００Ｂに返し、第２ヘッドセット１００Ｂは、仏語文章を受信すると、仏語文章をそのマイクロディスプレイに表示し、音声合成モジュールが、オーディオスピーカと連動して用いられて、対応する合成音声を仏語で生成する翻訳システム。」（以下、「引用発明Ａ」という。）が記載されている。
（８）引用文献Ｂ
ア　原査定の拒絶の理由に引用された引用文献Ｂには、次のとおりの記載がある。
「【技術分野】
【０００１】
　本発明は自動翻訳システム、自動翻訳サーバ装置及びそれらに用いる自動翻訳方法に関し、特に
携帯電話端末を利用した自動翻訳システム
【背景技術】
【０００２】
　従来、携帯電話端末を利用した自動翻訳システムとしては、携帯電話端末の使用者が予め自分自身の使用する言語を選択した上で、自分の作成した電子メールを送信すると、それを自動で翻訳して通信相手に届けるというシステムがある（例えば、特許文献１参照）。
【０００３】
　また、他の自動翻訳システムとしては、音声ベースにおいて、自動で異言語間を翻訳するシステム（例えば、特許文献２参照）があるが、予め通話者の使用する言語がそれぞれ既知であり、したがって、翻訳元と翻訳先との言語がプリセットされた状態で通話が開始されることが前提となっている。」
「【０００５】
　上述した従来の自動翻訳システムでは、上記の特許文献１，２の何れの場合も、通信を行う端末利用者の使用言語が両方とも不明の場合、期待された翻訳が行われず、メールのやり取りや会話が成立しないという問題がある。
【０００７】
　そこで、本発明の目的は上記の問題点を解消し、未知の相手とでもスムーズに会話を成立させることができる自動翻訳システム、自動翻訳サーバ装置及びそれらに用いる自動翻訳方法を提供することにある。
　また、本発明の他の目的は、特定の相手に対するデータベースを独自に構築することができ、よりスムーズな会話を実現することができる自動翻訳システム、自動翻訳サーバ装置及びそれらに用いる
自動翻訳方法
【課題を解決するための手段】
【０００８】
　
本発明による自動翻訳システムは、ネットワークを介して接続される端末装置間の通信において、発側の端末装置からの通信を着側の端末装置で使用される言語に翻訳する自動翻訳サーバ装置を前記ネットワークに接続してなる自動翻訳システムであって、
　前記自動翻訳サーバ装置が、前記端末装置から前記ネットワークを介して入力される通信の言語の種類を認識する認識手段と、前記認識手段の認識結果に応じて前記発側の端末装置からの通信を前記着側の端末装置で使用される言語に変換して出力する翻訳手段とを備えている。
【０００９】
　本発明による他の自動翻訳システムは、ネットワークを介して接続される端末装置間の通信において、発側の端末装置からの通信を着側の端末装置で使用される言語に翻訳する自動翻訳サーバ装置を前記ネットワークに接続してなる自動翻訳システムであって、
　前記自動翻訳サーバ装置が、外部から入力される言語を認識して中間言語に変換する言語認識手段と、前記中間言語を目的の言語に変換して出力する言語翻訳手段と、前記言語翻訳手段による言語変換の際に参照される言語データベースと、加入者の使用する言語の種類を記憶する言語記憶手段と、前記中間言語を一旦蓄積する中間言語蓄積手段とを備えている。」
イ　引用文献Ｂ記載事項
　上記アの記載によると、引用文献Ｂには、
「ネットワークを介して接続される端末装置間の通信において、発側の端末装置からの通信を着側の端末装置で使用される言語に翻訳する自動翻訳サーバ装置を前記ネットワークに接続してなる自動翻訳システムであって、前記自動翻訳サーバ装置が、前記端末装置から前記ネットワークを介して入力される通信の言語の種類を認識する認識手段と、前記認識手段の認識結果に応じて前記発側の端末装置からの通信を前記着側の端末装置で使用される言語に変換して出力する翻訳手段を備えた自動翻訳システム。」（以下、「引用文献Ｂ記載事項」という。）が記載されている。
第６　当審拒絶理由の理由２（進歩性）について
１　本願発明１について
（１）対比
　本願発明１と引用発明１とを対比する。
ア　引用発明１の「スマートフォン」、「アプリ」、「イヤホン」は、それぞれ、本願発明１の「電子機器」、「アプリケーション」、「イヤセット機器」に相当し、引用発明１の「イヤホン内部にブルートゥース搭載のマイクが搭載された、２人の話者間で使用するイヤホン型翻訳機と、スマートフォン内のアプリとからなる自動翻訳方法」は、本願発明１と同様の「電子機器が実行する通訳機能提供方法」であるといえる。
イ　引用発明１において、イヤホンは、ブルートゥースで２人の話者がスマートフォンを介して使用するものであるから、イヤホンが２つあり、これらがペアとなっていることは明らかである。よって、引用発明１の２つのイヤホンは、それぞれ、本願発明１の「第１のイヤセット機器」、「第２のイヤセット機器」に相当し、「第１イヤセット機器および第２イヤセット機器はイヤセットペアを構成」するものである。
ウ　引用発明１の「イヤホン内部のマイクで音声をキャッチしてスマートフォンに転送し、スマートフォン内のアプリは、音声認識を使用して音声をテキスト化し、これを機械翻訳であらかじめ設定された言語へと翻訳し、翻訳されたテキストを、テキスト読み上げ機能で音声変換し、会話相手のイヤホンに送信」することは、本願発明１の「前記実行するアプリケーションの制御にしたがい、前記第１イヤセット機器および前記第２イヤセット機器のうちの一方を通じて受信した音声に対する他の言語への通訳機能を提供する段階、および前記他の言語へ通訳された結果を、前記第１イヤセット機器および前記第２イヤセット機器のうちの他方へ送信する段階」に相当する。
エ　引用発明１において、スマートフォンは翻訳を行う際に、アプリケーションを実行していることは明らかであるから、引用発明１は、「アプリケーションを実行する段階」を有している。
オ　以上、上記ア〜エによると、本願発明１と引用発明１とは、次の一致点、相違点を有する。
［一致点］
　電子機器が実行する通訳機能提供方法であって、
　アプリケーションを実行する段階、
　前記実行するアプリケーションの制御にしたがい、前記第１イヤセット機器および前記第２イヤセット機器のうちの一方を通じて受信した音声に対する他の言語への通訳機能を提供する段階、および
　前記他の言語へ通訳された結果を、前記第１イヤセット機器および前記第２イヤセット機器のうちの他方へ送信する段階
　を含み、前記第１イヤセット機器および前記第２イヤセット機器はイヤセットペアを構成している、通訳機能提供方法。
［相違点１］
　アプリケーションの実行を、本願発明１では、「第１イヤセット機器または前記第１イヤセット機器とイヤセットペアをなす第２イヤセット機器で発生するアプリケーション実行信号を受信」し、「前記受信したアプリケーション実行信号に対応」して、実行するのに対し、引用発明１では、そのような特定のない点。
［相違点２］
　イヤセットペアを構成する第１イヤセット機器および第２イヤセット機器が、本願発明１では、「左右の耳に着用される」のに対し、引用発明１では、そのような特定のない点。
［相違点３］
　本願発明１が、「前記第１イヤセット機器を通じて入力され前記電子機器が受信した第１言語の音声を第２言語のテキストに変換して前記電子機器のディスプレイで表示し、前記第２イヤセット機器を通じて入力され前記電子機器が受信した第２言語の音声を第１言語のテキストに変換して前記電子機器のディスプレイで表示する」ものであるのに対し、引用発明１では、音声を翻訳されたテキストとして電子機器のディスプレイで表示するものではない点。
（２）相違点の判断
［相違点１］について
　引用文献２記載事項から、引用発明１において、イヤセット機器の操作の簡素化、機械的部分の使用寿命の改善のために、「第１イヤセット機器または前記第１イヤセット機器とイヤセットペアをなす第２イヤセット機器で発生するアプリケーション実行信号を受信」し、「前記受信したアプリケーション実行信号に対応」してアプリケーションを実行する構成とすることは当業者が容易に想到し得た事項である。
［相違点２］について
　本願発明１は、「電子機器が実行する通訳機能提供方法」であり、第１イヤセット機器および第２イヤセット機器が「左右の耳に着用される」という構成は、第１イヤセット機器と第２イヤセット機器の耳への着用の仕方を特定したものであり、「電子機器が実行する通訳機能提供法」の構成を特定するものではないから、本願発明１と引用発明１との実質上の相違点ではない。
　実質上の相違点であったとしても、ペアをなす２つのイヤセット機器をそれぞれ左右の耳に着用する構成とすることは、引用文献６に記載されていることから、当業者が適宜なし得た事項である。
［相違点３］について
　引用文献２〜引用文献６は、いずれも、音声を翻訳されたテキストとして電子機器のディスプレイで表示する技術を開示するものではなく、音声を翻訳されたテキストとして電子機器のディスプレイで表示する技術が周知技術であったとしても、２つのイヤセット機器からそれぞれ入力された音声について、相違点３に係る「前記第１イヤセット機器を通じて入力され前記電子機器が受信した第１言語の音声を第２言語のテキストに変換して前記電子機器のディスプレイで表示し、前記第２イヤセット機器を通じて入力され前記電子機器が受信した第２言語の音声を第１言語のテキストに変換して前記電子機器のディスプレイで表示する」構成を当業者が容易に想到し得た事項であるとはいえない。
　このため、引用発明１及び引用文献２〜６に記載された事項に基づいて、相違点３に係る構成を当業者が容易に想到し得えた事項であるとはいえない。
［作用効果］について
　本願発明１は、相違点３に係る構成により、「第１イヤセットの第１ユーザと第２のイヤセットの第２のユーザは電子機器を介して表示される第２の言語の文字と第１の言語の文字を一緒に見ながら通訳機能の提供をもらうことができる」（本願明細書【００７４】）という作用効果を奏するものである。
［まとめ］
　したがって、本願発明１は、引用発明１及び引用文献２〜６に記載された事項に基づいて、当業者が容易に発明をすることができたものではない。
２　本願発明２〜９について
　本願発明２〜９は、本願発明１を減縮した発明であり、上記１で検討した相違点３に係る本願発明１の構成を備えるものであるから、本願発明１と同様な理由により、当業者であっても、引用発明１及び引用文献２〜６に記載された事項に基づいて容易に発明をすることができたものではない。
３　本願発明１０について
　本願発明１０は、本願発明１の「電子機器が実行する通訳機能提供方法」を「通訳提供方法」の発明としたものであって、上記１で検討した相違点３に係る本願発明１に対応する構成を備えるものであるから、本願発明１と同様な理由により、当業者であっても、引用発明１及び引用文献２〜６に記載された事項に基づいて容易に発明をすることができたものではない。
４　本願発明１１〜１３について
　本願発明１１〜１３は、本願発明１０を減縮した発明であり、上記１で検討した相違点３に係る本願発明１に対応する構成を備えるものであるから、本願発明１と同様な理由により、当業者であっても、引用発明１及び引用文献２〜６に記載された事項に基づいて容易に発明をすることができたものではない。
５　本願発明１４、１５について
　本願発明１４は、「コンピュータと結合して請求項１〜１３のうちのいずれか一項に記載の方法をコンピュータに実行させるためにコンピュータで読み取り可能な記録媒体に格納された、コンピュータプログラム」の発明であり、本願発明１５は、「請求項１〜１３のうちのいずれか一項に記載の方法をコンピュータに実行させるためのプログラムが記録されている、コンピュータで読み取り可能な記録媒体」の発明であって、本願発明１４、１５は、いずれも、上記１で検討した相違点３に係る本願発明１の構成に対応する構成を備えるものであるから、本願発明１と同様な理由により、当業者であっても、引用発明１及び引用文献２〜６に記載された事項に基づいて容易に発明をすることができたものではない。
第７　当審拒絶理由の理由１（明確性）について
　令和２年２月１２日の手続補正により補正された特許請求の範囲の請求項１０〜１３の「第１イヤセット機器の通訳機能提供方法」を引用する請求項１４、１５に対して、当審拒絶理由の理由１（明確性）を通知したが、令和３年７月２６日にされた手続補正により、請求項１０〜１３の記載が「通訳機能提供方法」と補正されたため、当審拒絶理由の理由１（明確性）は解消した。
第８　原査定の拒絶の理由について
　引用発明Ａは、本願発明１、本願発明１０の第１イヤセット機器または前記第１イヤセット機器とイヤセットペアをなす第２イヤセット機器と、電子機器とで構成される翻訳機能提供方法とは、その前提となる機器の構成が異なるものであり、また、上記相違点３に係る構成を備えるものでもない。
　引用文献Ｂ記載事項によると、引用文献Ｂには、言語の種類を認識し、認識結果に応じて発側の端末装置からの通信を着側の端末装置で使用される言語に変換して出力することが記載されているが、本願発明１、本願発明１０の第１イヤセット機器または前記第１イヤセット機器とイヤセットペアをなす第２イヤセット機器と、電子機器とで構成される翻訳機能提供方法を開示するものではなく、また、上記相違点３に係る構成を開示するものでもない。
　よって、本願発明１、本願発明１０は、引用発明Ａ及び引用文献Ｂ記載事項に基づいて当業者が容易に発明をすることができたものではない。
　本願発明２〜９、１１〜１５についても同様である。
　よって、原査定を維持することはできない。
第９　むすび
　以上のとおり、本願発明１〜１５は、当業者が引用発明及び引用文献２〜６に記載された事項に基づいて、当業者が容易に発明をすることができたものではない。
　また、本願発明１〜１５は、引用文献Ａに記載された発明及び引用文献Ｂに記載された事項に基づいて、当業者が容易に発明をすることができたものではない。
　したがって、原査定の拒絶の理由及び当審拒絶理由によって、本願を拒絶することはできない。
　また、他に本願を拒絶すべき理由を発見しない。
　よって、結論のとおり審決する。